【手続補正書】
【提出日】平成26年10月24日(2014.10.24)
【手続補正１】
【補正対象書類名】明細書
【補正対象項目名】００１３
【補正方法】変更
【補正の内容】
【００１３】
【図１】実施の形態１に係る電子血圧計のハードウェア構成を表わすブロック図である。
【図２】実施の形態１に係る電子血圧計の機能構成を示すブロック図である。
【図３】加圧速度が脈波振幅に与える影響と、脈波の振幅補正について説明する図である。
【図４】加圧速度が脈波振幅に与える影響と、脈波の振幅補正について説明する図である。
【図５】カフコンプライアンス特性を示す図である。
【図６】実施の形態１に係る補正係数を格納するテーブルを示す図である。
【図７】実施の形態１による脈波振幅の補正を模式的に示す図である。
【図８】実施の形態１に係る周囲長を推定するために参照されるテーブルを示す図である。
【図９】実施の形態１によるカフ圧‐加圧時間特性（適切巻きの場合）のグラフである。
【図１０】実施の形態１に係る血圧測定の処理フローチャートである。
【図１１】実施の形態２による加圧過程で脈波が検出されるタイミングを説明する図である。
【図１２】実施の形態２に係る電子血圧計の機能構成を示す機能ブロック図である。
【図１３】実施の形態２に係る血圧測定の処理フローチャートである。
【図１４】実施の形態３に係る電子血圧計の機能構成を示す機能ブロック図である。
【図１５】実施の形態３に係る加圧速度目標を決定するためのテーブルを示す図である。
【図１６】実施の形態４に係る電子血圧計のハードウェア構成を表わすブロック図である。
【図１７】実施の形態４に係る電子血圧計の機能構成を示すブロック図である。
【図１８】実施の形態４に係る血圧測定の処理フローチャートである。
【図１９】実施の形態４に係るテーブルの内容を模式的に示す図である。
【図２０】実施の形態５に係る電子血圧計の機能構成を示すブロック図である。
【図２１】実施の形態５に係る一定電圧値の決定方法を説明するためのグラフである。
【図２２】実施の形態５に係る血圧測定の処理フローチャートである。
【図２３】実施の形態６に係る電子血圧計の機能構成を示すブロック図である。
【図２４】実施の形態６に係る血圧測定の処理フローチャートである。
【図２５】電子血圧計の消費電力とカフ圧の関係を示すグラフである。
【図２６】電子血圧計の電池の電圧降下とカフ圧の関係を示すグラフである。
【図２７】実施の形態７に係る電子血圧計の機能構成図である。
【図２８】実施の形態７に係る処理フローチャートである。
【図２９】実施の形態７に係るテーブルの内容を模式的に示すためのグラフである。
【図３０】実施の形態８に係る電子血圧計の機能構成図である。
【図３１】実施の形態８に係る処理フローチャートである。
【図３２】実施の形態８に係る変更開始圧力と加圧時間（測定時間）の関係を表わすグラフである。
【図３３】従来の血圧計のポンプの出力流量と、カフ圧の関係を模式的に示す図である。
【図３４】従来の血圧計のカフ圧の等速加圧とポンプ駆動電圧の関係を模式的に示す図である。
【手続補正２】
【補正対象書類名】明細書
【補正対象項目名】００３５
【補正方法】変更
【補正の内容】
【００３５】
したがって、カフ２０の加圧速度を変化させた場合に検出される脈波振幅は、加圧速度の変化率と測定部位の周囲長に応じて決定する必要がある。ここで、加圧速度の変化率は、加圧速度目標の変化率に応じて決まり、変化率は、変更前の加圧速度目標と変更後の加圧速度目標との比を指す。
【手続補正３】
【補正対象書類名】明細書
【補正対象項目名】００４４
【補正方法】変更
【補正の内容】
【００４４】
周囲長推定部４０１は、加圧開始後、検出されるカフ圧に基づき、カフ圧が０ｍｍＨｇ（圧力Ｐ２）から２０ｍｍＨｇ（圧力Ｐ３）まで変化するのに要した時間を時計部４５によって計測する。そして、計測した時間に基づきテーブル４３３を検索することにより、対応する周囲長Ｌを取得する。周囲長Ｌは補正係数決定部４０２に与えられる。補正係数決定部４０２は、周囲長Ｌと変更後の加圧速度目標Ｖとに基づきテーブルＴＢを検索して、対応する補正係数αを読出す。これにより、補正係数αを決定する。
【手続補正４】
【補正対象書類名】明細書
【補正対象項目名】００５１
【補正方法】変更
【補正の内容】
【００５１】
条件が成立しないと判定されると（ステップＳＴ１３でＮＯ）、処理はステップＳＴ１９に移行する。
【手続補正５】
【補正対象書類名】明細書
【補正対象項目名】００６４
【補正方法】変更
【補正の内容】
【００６４】
図１３は、本実施の形態に係る血圧測定の処理フローチャートである。このフローチャートに従うプログラムは、予めメモリ部４２に格納されて、ＣＰＵ１０によりメモリ部４２から読出されて、実行される。図１３のフローチャートを参照して本実施の形態に係る血圧測定処理を説明する。
【手続補正６】
【補正対象書類名】明細書
【補正対象項目名】００８３
【補正方法】変更
【補正の内容】
【００８３】
図１６は、本実施の形態４に係る電子血圧計１００Ｃのハードウェア構成を表わすブロック図であり、図１７は、実施の形態４に係る電子血圧計１００Ｃの機能構成を示すブロック図である。
【手続補正７】
【補正対象書類名】明細書
【補正対象項目名】００９４
【補正方法】変更
【補正の内容】
【００９４】
被測定者は、測定部位にカフ２０を”適切巻き”で巻き付けた状態で、電源スイッチ４１Ａ（または測定スイッチ４１Ｂ）を操作すると、ＣＰＵ１０は、所定の初期化処理を行い、その後、ＣＰＵ１０は弁駆動回路５４に弁５２を閉鎖するための制御信号を出力する。これにより、弁駆動回路５４によって弁５２は閉鎖される。
【手続補正８】
【補正対象書類名】明細書
【補正対象項目名】００９６
【補正方法】変更
【補正の内容】
【００９６】
駆動制御部１１１Ｃは、加圧速度目標を所定値（例えば、５．５ｍｍＨｇ／ｓｅｃ）に初期設定し、加圧制御部１１５に出力する。加圧制御部１１５は、初期の加圧速度目標（５．５ｍｍＨｇ／ｓｅｃ）から、所定換算式に従った電圧値を算出し、算出した電圧値に基づきカフ圧が等速加圧されるような電圧制御信号２７１を生成し、圧電ポンプ駆動回路２７に出力するとともに、周波数制御信号２７２を出力する。圧電ポンプ駆動回路２７は、電圧制御信号２７１と周波数制御信号２７２に基づき振動制御電圧信号２７３を生成し、圧電ポンプ２６に出力する。これにより、カフ圧が加圧速度目標で等速加圧されるように圧電ポンプ２６が駆動されて（ステップＳ５）、カフ圧の等速加圧が開始される。
【手続補正９】
【補正対象書類名】明細書
【補正対象項目名】０１４８
【補正方法】変更
【補正の内容】
【０１４８】
図３２では、グラフの縦軸には加圧時間（単位：ｓｅｃ）がとられ、横軸には変更開始圧力（単位：ｍｍＨｇ）がとられる。初期の加圧速度目標（５．５ｍｍＨｇ／ｓｅｃ）で等速加圧を継続しながら、適宜のタイミングで加圧目標値を変更したときに検出されるカフ圧（変更開始圧力）と、それに対応した加圧時間との関係が近似曲線のグラフで示される。カフ圧（変更開始圧力）に対応した加圧時間とは、当該変更開始圧力で加圧速度目標（５．５ｍｍＨｇ／ｓｅｃ）を変更（低く）した場合に要する測定開始から測定終了（加
圧開始から加圧終了（排気開始））までの時間を指す。
【手続補正１０】
【補正対象書類名】図面
【補正対象項目名】図１
【補正方法】変更
【補正の内容】
【図１】
2013090825.tif 000001
【手続補正１１】
【補正対象書類名】図面
【補正対象項目名】図２
【補正方法】変更
【補正の内容】
【図２】
2013090825.tif 000002
【手続補正１２】
【補正対象書類名】図面
【補正対象項目名】図１２
【補正方法】変更
【補正の内容】
【図１２】
2013090825.tif 000003
【手続補正１３】
【補正対象書類名】図面
【補正対象項目名】図１４
【補正方法】変更
【補正の内容】
【図１４】
2013090825.tif 000004
【手続補正１４】
【補正対象書類名】図面
【補正対象項目名】図１８
【補正方法】変更
【補正の内容】
【図１８】
2013090825.tif 000005